(57)【要約】【課題】遠隔制御により、端局装置相互間の信号疎通状態の検出を自動的、かつ効率的に実行できる伝送装置を提供する。【解決手段】マイクロプロセッサを基本にして各種処理機能、演算機能、伝送機能および電子スイッチ等を有し、端局装置Ｘ１と端局装置Ｘ２間に設定された論理的伝送路（パス）Ｌ１２による信号疎通状態を検出するための試験系を構成して信号折返し手段５、試験信号発生手段６、切替手段７、信号検出手段８を備え、網監視制御装置Ｗの遠隔制御により、端局装置Ｘ１，Ｘ２相互間の信号疎通状態を検出する信号疎通状態検出手段３を備える。【選択図】　図２
2004040441.tif 000002
【特許請求の範囲】
【請求項１】
論理的伝送路を介して接続された複数の端局装置と、ネットワークを監視する網監視制御装置と、各端局装置に接続される端末装置と、からなる伝送装置において、
各端局装置は、前記網監視制御装置の遠隔制御により、端局装置相互間の信号疎通状態を検出する信号疎通状態検出手段を備えたことを特徴とする伝送装置。
【請求項２】
前記信号疎通状態検出手段は、試験信号を論理的伝送路に出力する試験信号発生手段と、試験信号と他の端局装置で試験信号が折り返された折返し信号を比較して照合し、信号疎通状態を検出する信号検出手段と、他の端局装置からの試験信号を折り返す信号折返し手段と、信号疎通状態の検出時に前記試験信号発生手段および前記信号検出手段を論理的伝送路に自動挿入する切替手段と、を備えたことを特徴とする請求項１記載の伝送装置。
【請求項３】
前記信号検出手段は、試験信号と折返し信号の信号パターンに基づいて信号疎通状態を検出することを特徴とする請求項２記載の伝送装置。
【請求項４】
前記信号検出手段は、検出した信号疎通状態を前記網監視制御装置に伝送することを特徴とする請求項２または請求項３記載の伝送装置。
【請求項５】
論理的伝送路を介して接続された複数の端局装置と、ネットワークを監視する網監視制御装置と、各端局装置に接続される端末装置と、からなる伝送装置の信号疎通状態検出方法であって、
遠隔制御により論理的伝送路に試験系を自動挿入するステップ（Ｓ１）と、
試験信号を論理的伝送路に出力するステップ（Ｓ２）と、
検出対象とする論理的伝送路端で試験信号を折り返すステップ（Ｓ３）と、
出力した試験信号と折返し信号のパターンから信号疎通状態を検出するステップ（Ｓ４）と、
検出した信号疎通状態を伝送するステップ（Ｓ５）と、
を備え、端局装置に端末装置を接続した状態で信号疎通状態を検出することを特徴とする伝送装置の信号疎通状態検出方法。
【発明の詳細な説明】
【０００１】
【発明の属する技術分野】
本発明は論理的伝送路を介して接続される端局装置相互間の信号疎通状態を検出する伝送装置およびその信号疎通状態検出方法に係り、特に端局装置に端末装置を接続した状態で信号疎通状態を検出する伝送装置およびその信号疎通状態検出方法に関する。
【０００２】
【従来の技術】
従来の伝送装置において、端局装置間の信号疎通状態を検出する場合、対象となる双方の端局装置に接続される端末装置を外し、端末装置に代えて試験信号発生器および信号検出器を接続して試験信号を論理的伝送路に出力し、一方の端局装置に接続され試験信号発生器から試験信号を出力し、他方の端局装置に接続された信号検出器で検出した試験信号を照合することにより、端局装置間の論理的伝送路の信号疎通状態を検出するように構成されたものが知られている。
【０００３】
図５に従来の伝送装置の信号疎通状態検出における要部ブロック構成図を示す。図５において、伝送装置５０は、網監視制御装置５１と、端末装置５８を収容する端局装置５２と、端末装置５９を収容する端局装置５３と、端局装置５２と端局装置５３を接続する論理的伝送路Ｌとから構成する。なお、端局装置は、端局装置５２と端局装置５３の２個の例を示しているが、一般的に３個以上の任意数で構成される。
【０００４】
網監視制御装置５１は、制御指令を端局装置５２，５３に供給し、端局装置５２，５３間に論理的伝送路（パス）Ｌを設定し、端末装置５８と端末装置５９との間に通信回線を提供する。
【０００５】
端局装置５２，５３は、端末装置５８，５９とのインタフェースを取る端末インタフェース（Ｉ／Ｆ）部５４，５７と、回線の多重、分離を行なう多重分離部５５，５６とから構成される。
【０００６】
端局装置５２と端局装置５３との間の信号疎通状態を検出する場合、端局装置５２の端子Ａ１，Ａ２間に接続されている端末装置５８を取り外し、端子Ａ１に試験信号発生器６０を接続し、端子Ａ２に信号検出器６１を接続する。
【０００７】
一方、端局装置５３のＢ１，Ｂ２間に接続されている端末装置５９を取り外し、端子Ｂ１に信号検出器６３を接続し、端子Ｂ２に試験信号発生器６２を接続する。
【０００８】
続いて、試験信号発生器６０から試験信号ＳＴを出力すると、端子Ａ１→端局装置５２→論理的伝送路Ｌ→端局装置５３の経路で試験信号ＳＴが伝送され、信号検出器６３で試験信号ＳＴが検出される場合には、信号疎通状態が正常で検出される。一方、信号検出器６３で試験信号ＳＴが検出されない場合には、信号疎通状態が異常で検出される。
【０００９】
また、試験信号発生器６２から試験信号ＳＴを出力すると、端子Ｂ２→端局装置５３→論理的伝送路Ｌ→端局装置５２の経路で試験信号ＳＴが伝送され、信号検出器６１で試験信号ＳＴが検出される場合には、信号疎通状態が正常で検出される。一方、信号検出器６１で試験信号ＳＴが検出されない場合には、信号疎通状態が異常で検出される。
【００１０】
したがって、信号検出器６１および信号検出器６３の双方で試験信号ＳＴが検出される時に、端局装置５２と端局装置５３間の信号疎通状態は正常と認識される。
【００１１】
【発明が解決しようとする課題】
従来の伝送装置５０は、端局装置５２，５３間の信号疎通状態を測定する場合、端局装置５２，５３に接続されている端末装置５８，５９を取り外し、試験信号発生器６０，６２や信号検出器６１，６３を接続して試験を行なうため、対象となる端局装置（図５に示す端局装置５２，５３）が設置されている場所に赴き、試験系の構築、試験信号ＳＴの出力および信号疎通状態の測定を全て手作業で行なわなければならず、多くの時間と作業工数が必要となり、信号疎通状態の測定を効率的に実行できない課題がある。
【００１２】
この発明はこのような課題を解決するためになされたもので、その目的は遠隔制御により、端局装置相互間の信号疎通状態の検出を自動的、かつ効率的に実行できる伝送装置およびその信号疎通状態検出方法を提供することにある。
【００１３】
【課題を解決するための手段】
前記課題を解決するためこの発明に係る伝送装置は、論理的伝送路を介して接続された複数の端局装置と、ネットワークを監視する網監視制御装置と、各端局装置に接続される端末装置とからなる伝送装置において、各端局装置は、網監視制御装置の遠隔制御により、端局装置相互間の信号疎通状態を検出する信号疎通状態検出手段を備えたことを特徴とする。
【００１４】
この発明に係る伝送装置は、各端局装置に、網監視制御装置の遠隔制御により、端局装置相互間の信号疎通状態を検出する信号疎通状態検出手段を備えたので、任意の端局装置間の信号疎通状態を自動的に検出してデータを収集することができ、効率的な自動測定を実現することができる。
【００１５】
また、この発明に係る信号疎通状態検出手段は、試験信号を論理的伝送路に出力する試験信号発生手段と、試験信号と他の端局装置で試験信号が折り返された折返し信号を比較して照合し、信号疎通状態を検出する信号検出手段と、他の端局装置からの試験信号を折り返す信号折返し手段と、信号疎通状態の検出時に試験信号発生手段および信号検出手段を論理的伝送路に自動挿入する切替手段と、を備えたことを特徴とする。
【００１６】
この発明に係る信号疎通状態検出手段は、試験信号を論理的伝送路に出力する試験信号発生手段と、試験信号と他の端局装置で試験信号が折り返された折返し信号を比較して照合し、信号疎通状態を検出する信号検出手段と、他の端局装置からの試験信号を折り返す信号折返し手段と、信号疎通状態の検出時に試験信号発生手段および信号検出手段を論理的伝送路に自動挿入する切替手段とを備えたので、端末装置を接続した状態で、試験信号を論理的伝送路に出力し、相手端局装置で試験信号が折り返された折返し信号を取り込み、試験信号と折返し信号とを比較して照合し、信号疎通状態を検出することができ、信号疎通状態を自動的に検出してデータを収集することができ、効率的な自動測定を実現することができる。
【００１７】
さらに、この発明に係る信号検出手段は、試験信号と折返し信号の信号パターンに基づいて信号疎通状態を検出することを特徴とする。
【００１８】
この発明に係る信号検出手段は、試験信号と折返し信号の信号パターンに基づいて信号疎通状態を検出するので、試験信号と折返し信号の信号パターン、例えば信号ビット列や信号のフラグ等が一致することで信号疎通状態を正常と検出することができ、正確な信号疎通状態を検出することができる。
【００１９】
また、この発明に係る信号検出手段は、検出した信号疎通状態を網監視制御装置に伝送することを特徴とする。
【００２０】
この発明に係る信号検出手段は、検出した信号疎通状態を網監視制御装置に伝送するので、網監視制御装置に任意の端局装置間の信号疎通状態データを一括して集中管理することができ、管理の効率化ならびに利便性の向上を図ることができる。
【００２１】
さらに、この発明に係る伝送装置の信号疎通状態検出方法は、論理的伝送路を介して接続された複数の端局装置と、ネットワークを監視する網監視制御装置と、各端局装置に接続される端末装置とからなる信号疎通状態検出方法であって、遠隔制御により論理的伝送路に試験系を自動挿入するステップ（Ｓ１）と、試験信号を論理的伝送路に出力するステップ（Ｓ２）と、検出対象とする論理的伝送路端で試験信号を折り返すステップ（Ｓ３）と、出力した試験信号と折返し信号のパターンから信号疎通状態を検出するステップ（Ｓ４）と、検出した信号疎通状態を伝送するステップ（Ｓ５）とを備え、端局装置に端末装置を接続した状態で信号疎通状態を検出することを特徴とする。
【００２２】
この発明に係る伝送装置の信号疎通状態検出方法は、遠隔制御により論理的伝送路に試験系を自動挿入するステップ（Ｓ１）と、試験信号を論理的伝送路に出力するステップ（Ｓ２）と、検出対象とする論理的伝送路端で試験信号を折り返すステップ（Ｓ３）と、出力した試験信号と折返し信号のパターンから信号疎通状態を検出するステップ（Ｓ４）と、検出した信号疎通状態を伝送するステップ（Ｓ５）とを備えたので、端末装置の接続を外す等の装置の運用形態を変えることなく、遠隔操作により自動的に信号疎通状態を検出することができ、効率性ならびに利便性の向上を図ることができる。
【００２３】
【発明の実施の形態】
以下、この発明の実施の形態を添付図面に基づいて説明する。図１はこの発明に係る伝送装置の実施の形態全体構成図である。なお、本発明は各端局装置に、任意の端局装置間の信号疎通状態を検出する試験系（信号疎通状態検出手段）を備え、網監視制御装置からの遠隔制御により、端局装置から端末装置を外すことなく、試験系（信号疎通状態検出手段）を論理的伝送路に挿入し、自動的に信号疎通状態を検出することができるものである。
【００２４】
図１において、伝送装置１は、端局装置Ｘ１〜Ｘｎと、各端局装置Ｘ１〜Ｘｎに接続される端末装置Ｅ１〜Ｅｎと、各端局装置Ｘ１〜Ｘｎを監視し、遠隔制御する網監視制御装置Ｗと、各端局装置Ｘ１〜Ｘｎを接続する論理的伝送路Ｌ１２〜Ｌｎ１とから構成する。
【００２５】
網監視制御装置Ｗは、遠隔制御により、任意の端局装置Ｘ１〜Ｘｎに論理的伝送路（パス）Ｌ１２〜Ｌｎ１を設定し、端末装置Ｅ１〜Ｅｎに回線を提供する。端末装置Ｅ１〜Ｅｎは、網監視制御装置Ｗによって提供される回線を介して通信を行なう。
【００２６】
また、網監視制御装置Ｗは、遠隔操作で端局装置Ｘ１〜Ｘｎを制御し、端末装置Ｅ１〜Ｅｎの接続を外すことなく試験系を論理的伝送路に挿入し、任意の２端局装置間の信号疎通状態を検出する制御を行い、信号疎通状態データを収集して管理する。
【００２７】
図２はこの発明に係る端局装置の実施の形態要部ブロック構成図である。なお、図２は図１に示す網監視制御装置Ｗの遠隔制御により、端局装置Ｘ１および端局装置Ｘ２間に論理的伝送路（パス）Ｌ１２が設定された状態を示す。図２において、端局装置Ｘ１，Ｘ２は、端末インタフェース（Ｉ／Ｆ）部２、信号疎通状態検出手段３、多重分割部４を備える。
【００２８】
端末インタフェース（Ｉ／Ｆ）部２は、端局装置Ｘ１と端末装置Ｅ１との間の電気的特性の整合（インタフェース）を取る。
【００２９】
信号疎通状態検出手段３は、マイクロプロセッサを基本にして各種処理機能、演算機能、伝送機能および電子スイッチ等を有し、端局装置Ｘ１と端局装置Ｘ２間に設定された論理的伝送路（パス）Ｌ１２による信号疎通状態を検出するための試験系を構成して信号折返し手段５、試験信号発生手段６、切替手段７、信号検出手段８を備え、網監視制御装置Ｗの遠隔制御により、端局装置Ｘ１，Ｘ２相互間の信号疎通状態を検出する。
【００３０】
信号折返し手段５は、リレー、アナログスイッチ等の電子スイッチで構成し、網監視制御装置Ｗから供給される制御信号ＳＣに基づいてスイッチｓｗ１を動作する。信号疎通状態の測定時、信号疎通状態検出手段３が論理的伝送路（パス）Ｌ１２に挿入される端局装置Ｘ１では、スイッチｓｗ１は実線表示の状態にあるが、端局装置Ｘ２では、信号折返し手段９のスイッチｓｗ４は論理的伝送路（パス）Ｌ１２をシャント（短絡）して端局装置Ｘ１から伝送されてくる試験信号ＳＴを折り返すように動作する。
【００３１】
一方、端局装置Ｘ２の信号疎通状態検出手段３が論理的伝送路（パス）Ｌ１２に挿入される場合には、端局装置Ｘ１の信号折返し手段５は、スイッチｓｗ１を破線表示の状態にし、論理的伝送路（パス）Ｌ１２をシャント（短絡）して端局装置Ｘ２から伝送されてくる試験信号ＳＴを折り返すように動作する。
【００３２】
試験信号発生手段６は、信号発生器で構成し、信号疎通状態の測定時に試験信号ＳＴを発生し、試験信号ＳＴを切替手段７および信号検出手段８に供給する。試験信号ＳＴは、信号ビット列や信号のフラグ等で形成された信号パターンを有し、試験信号ＳＴが折り返されてくる折返し信号ＳＯに同じパターンが含まれていることを信号検出手段８で検出し、信号疎通状態の測定を容易にするよう設定する。
【００３３】
図３はこの発明に係る試験信号発生手段の一実施の形態試験信号波形図である。（ａ）図にビット列Ｓｂで形成された試験信号を示し、（ｂ）図にフラグＦを含むデータの試験信号を示す。試験用のビット列ＳｂまたはフラグＦを有する試験信号Ｔを試験信号発生手段６から発生し、相手端局装置から折り返されてくる試験信号ＳＴの折返し信号ＳＯに含まれるビット列ＳｂまたはフラグＦを信号検出手段８で検出することにより、端局装置間（例えば、端局装置Ｘ１と端局装置Ｘ２）の信号疎通状態が正常であることを検出することができる。
【００３４】
切替手段７は、アナログスイッチ等の電子スイッチで構成し、信号疎通状態の測定時に、網監視制御装置Ｗから供給される制御信号ＳＣに基づいてスイッチｓｗ２およびスイッチｓｗ３を切り替え（破線表示側→実線表示側）、試験信号発生手段６および信号検出手段８を論理的伝送路（パス）Ｌ１２に挿入する。
【００３５】
また、切替手段７は、スイッチｓｗ２を動作して試験信号発生手段６から供給される試験信号ＳＴを多重分割部４に供給するとともに、スイッチｓｗ３を動作して多重分割部４から供給される試験信号ＳＴが端局装置Ｘ２の信号折返し手段９で折り返された折返し信号ＳＯを信号検出手段８に供給する。
【００３６】
信号検出手段８は、信号比較機能、信号照合機能、信号伝送機能を備え、試験信号発生手段６から供給される試験信号ＳＴおよび切替手段７のスイッチｓｗ３を介して供給される折返し信号ＳＯの信号パターンを比較して照合し、試験信号ＳＴの信号パターン（ビット列ＳｂまたはフラグＦ）と折返し信号ＳＯの信号パターン（ビット列ＳｂまたはフラグＦ）とが一致する場合には、端局装置Ｘ１と端局装置Ｘ２の間の信号疎通状態が正常であることを検出する。
【００３７】
一方、試験信号ＳＴの信号パターン（ビット列ＳｂまたはフラグＦ）と折返し信号ＳＯの信号パターン（ビット列ＳｂまたはフラグＦ）とが不一致の場合には、端局装置Ｘ１と端局装置Ｘ２の間の信号疎通状態が異常であること検出する。
【００３８】
また、信号検出手段８は、検出した信号疎通状態をデータ化し、信号疎通状態データを網監視制御装置Ｗに伝送する。信号検出手段８から網監視制御装置Ｗへの信号疎通状態データ伝送は、有線伝送または無線伝送のいずれでも可能である。
【００３９】
多重分割部４は、端局装置Ｘ１に複数の端末装置Ｅ１が接続されている時、各端末装置Ｅ１から供給されるデータを多重化して論理的伝送路Ｌ１２に伝送し、論理的伝送路Ｌ１２を介して伝送されてくる多重化されたデータを各端末装置Ｅ１に供給するために分離を実行する。
【００４０】
このように、発明に係る伝送装置１は、各端局装置Ｘ１〜Ｘｎに、網監視制御装置Ｗの遠隔制御により、端局装置相互間（例えば、Ｘ１，Ｘ２間）の信号疎通状態を検出する信号疎通状態検出手段３を備えたので、任意の端局装置Ｘ１〜Ｘｎ間の信号疎通状態を自動的に検出してデータを収集することができ、効率的な自動測定を実現することができる。
【００４１】
また、この発明に係る信号疎通状態検出手段３は、試験信号ＳＴを論理的伝送路Ｌ１２に出力する試験信号発生手段６と、試験信号ＳＴと他の端局装置Ｘ２で試験信号ＳＴが折り返された折返し信号ＳＯを比較して照合し、信号疎通状態を検出する信号検出手段８と、他の端局装置Ｘ２からの試験信号ＳＴを折り返す信号折返し手段５と、信号疎通状態の検出時に試験信号発生手段６および信号検出手段８を論理的伝送路Ｌ１２に自動挿入する切替手段７とを備えたので、端末装置Ｅ１を接続した状態で、試験信号ＳＴを論理的伝送路Ｌ１２に出力し、相手端局装置Ｘ２で試験信号ＳＴが折り返された折返し信号ＳＯを取り込み、試験信号ＳＴと折返し信号ＳＯとを比較して照合し、信号疎通状態を自動的に検出してデータを収集することができ、効率的な自動測定を実現することができる。
【００４２】
さらに、この発明に係る信号検出手段６は、試験信号ＳＴと折返し信号ＳＯの信号パターンに基づいて信号疎通状態を検出するので、試験信号ＳＴと折返し信号ＳＯの信号パターン、例えば信号ビット列や信号のフラグ等が一致することで信号疎通状態を正常と検出することができ、正確な信号疎通状態を検出することができる。
【００４３】
また、この発明に係る信号検出手段８は、検出した信号疎通状態を網監視制御装置Ｗに伝送するので、網監視制御装置Ｗに任意の端局装置Ｘ１〜Ｘｎ間の信号疎通状態データを一括して集中管理することができ、管理の効率化ならびに利便性の向上を図ることができる。
【００４４】
次に、信号疎通状態の検出方法について図１、図２を参照して説明する。図４はこの発明に係る伝送装置の信号疎通状態検出方法の一実施の形態要部動作フロー図である。最初に、ステップＳ１では、遠隔制御により論理的伝送路（パス）に信号疎通状態を検出するための試験系を自動挿入する。なお、ステップＳ１の動作は、網監視制御装置Ｗ、切替手段７が実行する。
【００４５】
ステップＳ２では、信号疎通状態を検出するための試験信号ＳＴを論理的伝送路（パス）に出力する。なお、ステップＳ２の動作は、試験信号発生手段６が実行する。
【００４６】
ステップＳ３では、信号疎通状態の検出対象となる論理的伝送路（パス）端で試験信号ＳＴを折り返し、折返し信号ＳＯとして試験系に戻す。なお、ステップＳ３の動作は、網監視制御装置Ｗおよび端局装置Ｘ２の信号折返し手段９が実行する。
【００４７】
ステップＳ４では、試験信号ＳＴと折返し信号ＳＯのパターンから信号疎通状態を検出する。なお、ステップＳ４の動作は、信号検出手段８が実行する。
【００４８】
ステップＳ５では、検出した信号疎通状態を信号疎通状態データとして伝送する。なお、ステップＳ５の動作は、信号検出手段８が実行する。ステップＳ１からステップＳ５により、端局装置Ｘ１に端末装置Ｅ１を接続した状態で信号疎通状態を検出することことができる。
【００４９】
このように、この発明に係るこの発明に係る伝送装置の信号疎通状態検出方法は、遠隔制御により論理的伝送路に試験系を自動挿入するステップＳ１と、試験信号を論理的伝送路に出力するステップＳ２と、検出対象とする論理的伝送路端で試験信号を折り返すステップＳ３と、出力した試験信号と折返し信号のパターンから信号疎通状態を検出するステップＳ４と、検出した信号疎通状態を伝送するステップＳ５とを備えたので、端末装置の接続を外す等の装置の運用形態を変えることなく、遠隔操作により自動的に信号疎通状態を検出することができ、効率性ならびに利便性の向上を図ることができる。
【００５０】
【発明の効果】
以上説明したように、この発明に係る伝送装置は、各端局装置に、網監視制御装置の遠隔制御により、端局装置相互間の信号疎通状態を検出する信号疎通状態検出手段を備えたので、任意の端局装置間の信号疎通状態を自動的に検出してデータを収集することができ、効率的な自動測定を実現することができる。
【００５１】
また、この発明に係る信号疎通状態検出手段は、試験信号を論理的伝送路に出力する試験信号発生手段と、試験信号と他の端局装置で試験信号が折り返された折返し信号を比較して照合し、信号疎通状態を検出する信号検出手段と、他の端局装置からの試験信号を折り返す信号折返し手段と、信号疎通状態の検出時に試験信号発生手段および信号検出手段を論理的伝送路に自動挿入する切替手段とを備えたので、端末装置を接続した状態で、試験信号を論理的伝送路に出力し、相手端局装置で試験信号が折り返された折返し信号を取り込み、試験信号と折返し信号とを比較して照合し、信号疎通状態を自動的に検出してデータを収集することができ、効率的な自動測定を実現することができる。
【００５２】
さらに、この発明に係る信号検出手段は、試験信号と折返し信号の信号パターンに基づいて信号疎通状態を検出するので、試験信号と折返し信号の信号パターン、例えば信号ビット列や信号のフラグ等が一致することで信号疎通状態を正常と検出することができ、正確な信号疎通状態を検出することができる。
【００５３】
また、この発明に係る信号検出手段は、検出した信号疎通状態を網監視制御装置に伝送するので、網監視制御装置に任意の端局装置間の信号疎通状態データを一括して集中管理することができ、管理の効率化ならびに利便性の向上を図ることができる。
【００５４】
さらに、この発明に係るこの発明に係る伝送装置の信号疎通状態検出方法は、遠隔制御により論理的伝送路に試験系を自動挿入するステップ（Ｓ１）と、試験信号を論理的伝送路に出力するステップ（Ｓ２）と、検出対象とする論理的伝送路端で試験信号を折り返すステップ（Ｓ３）と、出力した試験信号と折返し信号のパターンから信号疎通状態を検出するステップ（Ｓ４）と、検出した信号疎通状態を伝送するステップ（Ｓ５）とを備えたので、端末装置の接続を外す等の装置の運用形態を変えることなく、遠隔操作により自動的に信号疎通状態を検出することができ、効率性ならびに利便性の向上を図ることができる。
【図面の簡単な説明】
【図１】この発明に係る伝送装置の実施の形態全体構成図
【図２】この発明に係る端局装置の実施の形態要部ブロック構成図
【図３】この発明に係る試験信号発生手段の一実施の形態試験信号波形図
【図４】この発明に係る伝送装置の信号疎通状態検出方法の一実施の形態要部動作フロー図
【図５】従来の伝送装置の信号疎通状態検出における要部ブロック構成図
【符号の説明】
１　伝送装置
２　端末インタフェース（Ｉ／Ｆ）部
３　信号疎通状態検出手段
４　多重分割部
５，９　信号折返し手段
６　試験信号発生手段
７　切替手段
８　信号検出手段
Ｅ１〜Ｅｎ　端末装置
Ｘ１〜Ｘｎ　端局装置
Ｗ　網監視制御装置
ＳＴ　試験信号
ＳＯ　折返し信号
【図１】
2004040441.tif 000003
【図２】
2004040441.tif 000004
【図３】
2004040441.tif 000005
【図４】
2004040441.tif 000006
【図５】
2004040441.tif 000007